【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
往復移動するように構成されているキャリッジと、前記キャリッジに装着された液体供給ユニットと、液体を噴射するヘッドと、を備える液体噴射装置であって、
前記液体供給ユニットは、
前記ヘッドに供給される液体を収容する液体収容部と、
前記液体収容部の前記液体を前記ヘッドに供給するための液体供給部と、
前記液体収容部を囲む複数の内壁面と、
を備え、
前記複数の内壁面は、少なくとも、
前記液体供給部が設けられ、前記液体収容部の底面を構成する第１内壁面と、
前記第１内壁面に対向する第２内壁面と、
前記第１内壁面と前記第２内壁面とに交差する第３内壁面と、
前記第２内壁面に交差し、前記第３内壁面と対向する第４内壁面と、
前記第１内壁面と前記第２内壁面と前記第３内壁面と前記第４内壁面とに交差する第５内壁面と、
前記第１内壁面と前記第２内壁面と前記第３内壁面と前記第４内壁面とに交差し、前記第５内壁面と対向する第６内壁面と、
前記第５内壁面と前記第６内壁面とに交差し、前記第１内壁面と前記第４内壁面との間に位置する第７内壁面と、
を含み、
前記第３内壁面から前記第４内壁面に向かう方向は、前記キャリッジが往復移動する移動方向に沿った方向であり、
前記第７内壁面は、下端が前記移動方向において前記第３内壁面と前記第４内壁面との間に位置するように重力方向に対して傾斜しており、
前記液体収容部において、前記液体は、前記キャリッジの往復移動に伴って、前記第７内壁面に沿って揺動する状態で収容されている、液体噴射装置。
【請求項２】
請求項１記載の液体噴射装置であって、
前記液体供給ユニットは、さらに、前記第５内壁面と前記第６内壁面とに交差し、前記第１内壁面と前記第３内壁面との間に位置する第８内壁面を含み、
前記第８内壁面は、下端が前記移動方向において前記第４内壁面と前記第３内壁面との間に位置するように重力方向に対して傾斜しており、
前記液体収容部において、前記液体は、前記キャリッジの往復移動に伴って、前記第７内壁面および前記第８内壁面に沿って揺動する状態で収容されている、液体噴射装置。
【請求項３】
請求項１または請求項２記載の液体噴射装置であって、
前記第７内壁面の下端は、前記第１内壁面に連結されている、液体噴射装置。
【請求項４】
請求項１から請求項３のいずれか一項に記載の液体噴射装置であって、
前記第７内壁面には、凹凸部が形成されている、液体噴射装置。
【請求項５】
請求項１から請求項４のいずれか一項に記載の液体噴射装置であって、
前記液体は、溶媒に対して不溶性を有する粒子が分散されている分散液である、液体噴射装置。
【請求項６】
請求項１から請求項５のいずれか一項に記載の液体噴射装置であって、
前記第１内壁面と、前記第７内壁面とは、曲面を介して交差している、液体噴射装置。
【請求項７】
請求項１から請求項５のいずれか一項に記載の液体噴射装置であって、
前記第１内壁面と前記第７内壁面との間の角度は、前記第４内壁面と前記第７内壁面との間の角度よりも大きい、液体噴射装置。
【請求項８】
請求項１から請求項７のいずれか一項に記載の液体噴射装置であって、
前記第１内壁面と前記第７内壁面との間の角度は、１１０°以上であり、１５０°以下である、液体噴射装置。
【請求項９】
請求項８記載の液体噴射装置であって、
前記第１内壁面と前記第７内壁面との間の角度は、１３０°以上であり、１４０°以下である、液体噴射装置。
【請求項１０】
請求項１から請求項９のいずれか一項に記載の液体噴射装置であって、さらに、
電極部を備え、
前記第７内壁面とは反対側の前記液体収容部の外側の壁面には、前記電極部と電気的に接触する接触部が配置されている、液体噴射装置。
【請求項１１】
請求項１から請求項１０のいずれか一項に記載の液体噴射装置であって、
前記液体供給ユニットは、さらに、
前記第５内壁面と前記第６内壁面との間に位置する可撓性膜部材と、
前記第５内壁面と前記可撓性膜部材との間に位置して前記液体収容部の内壁面の一部を構成するとともに、前記第５内壁面と前記第６内壁面との間において、前記液体収容部内の内圧に応じて、前記第５内壁面と前記第６内壁面とが対向する方向に沿って変位するように、前記可撓性膜部材に保持されている板状部材と、
前記液体収容部に配置され、前記板状部材を、前記第５内壁面から前記第６内壁面に向かう方向に付勢する付勢部材と、
を備える、液体噴射装置。
【請求項１２】
請求項１から請求項１０のいずれか一項に記載の液体噴射装置であって、
前記液体供給ユニットは、さらに、前記第３内壁面と前記第４内壁面との間に設けられ、前記液体収容部を、前記第３内壁面側に位置し、前記液体供給部を含む第１領域と、前記第４内壁面側に位置し、前記第７内壁面に面する第２領域と、に仕切る仕切壁部を備え、
前記第１領域と前記第２領域とは互いに連通しており、
前記第１領域には、前記液体を含浸する液体収容部材が配置されており、
前記第２領域には、前記液体が揺動する状態で収容されている、液体噴射装置。
【請求項１３】
請求項１から請求項１０のいずれか一項に記載の液体噴射装置であって、
前記液体供給ユニットは、さらに、外部の大気を前記液体収容部に導入する大気導入部を備え、
前記大気導入部は、前記大気が流通する大気通路と、前記液体収容部内の圧力に応じて前記大気通路を開閉する大気弁と、を有し、
前記大気弁は、弁座と、弁部材と、を有し、
前記弁部材は、前記弁座に対して当接する位置と、前記弁座に対して離間する位置と、に移動する弁部を有し、
前記弁部材は、前記液体収容部内が所定の圧力以上のときに、前記弁部が前記弁座に当接して前記大気通路を閉塞し、前記液体収容部内が前記所定の圧力よりも低くなったときに、前記弁部が前記弁座から離れて前記大気通路を開放するように構成され、
前記弁部の移動方向は、前記第５内壁面から前記第６内壁面に向かう方向に沿った方向である、液体噴射装置。
【手続補正２】
【補正対象書類名】明細書
【補正対象項目名】０００７
【補正方法】変更
【補正の内容】
【０００７】
本発明は、プリンターのキャリッジに装着されるインクカートリッジに限らず、少なくとも、液体噴射装置のキャリッジに装着される液体供給ユニットにおける上述の課題の少なくとも一部を解決するためになされたものであり、以下の形態として実現することが可能である。一つ目の形態は、往復移動するように構成されているキャリッジと、前記キャリッジに装着された液体供給ユニットと、液体を噴射するヘッドと、を備える液体噴射装置として提供される。この形態の液体噴射装置は、前記液体供給ユニットは、前記ヘッドに供給される液体を収容する液体収容部と、前記液体収容部の前記液体を前記ヘッドに供給するための液体供給部と、前記液体収容部を囲む複数の内壁面と、を備え、前記複数の内壁面は、少なくとも、前記液体供給部が設けられ、前記液体収容部の底面を構成する第１内壁面と、前記第１内壁面に対向する第２内壁面と、前記第１内壁面と前記第２内壁面とに交差する第３内壁面と、前記第２内壁面に交差し、前記第３内壁面と対向する第４内壁面と、前記第１内壁面と前記第２内壁面と前記第３内壁面と前記第４内壁面とに交差する第５内壁面と、前記第１内壁面と前記第２内壁面と前記第３内壁面と前記第４内壁面とに交差し、前記第５内壁面と対向する第６内壁面と、前記第５内壁面と前記第６内壁面とに交差し、前記第１内壁面と前記第４内壁面との間に位置する第７内壁面と、を含み、前記第３内壁面から前記第４内壁面に向かう方向は、前記キャリッジが往復移動する移動方向に沿った方向であり、前記第７内壁面は、下端が前記移動方向において前記第３内壁面と前記第４内壁面との間に位置するように重力方向に対して傾斜しており、前記液体収容部において、前記液体は、前記キャリッジの往復移動に伴って、前記第７内壁面に沿って揺動する状態で収容されている。この形態の液体噴射装置によれば、キャリッジの移動にともなって液体収容部内において第４内壁面側に片寄ってしまった液体が、第７内壁面によって、第１内壁面に設けられている液体供給部へと誘導される。従って、液体供給ユニット内における液体の揺動に起因する液体の供給不良の発生が抑制される。
上記形態の液体噴射装置において、前記液体供給ユニットは、さらに、前記第５内壁面と前記第６内壁面とに交差し、前記第１内壁面と前記第３内壁面との間に位置する第８内壁面を含み、前記第８内壁面は、下端が前記移動方向において前記第４内壁面と前記第３内壁面との間に位置するように重力方向に対して傾斜しており、前記液体収容部において、前記液体は、前記キャリッジの往復移動に伴って、前記第７内壁面および前記第８内壁面に沿って揺動する状態で収容されてよい。この形態の液体噴射装置によれば、キャリッジの移動にともなって液体収容部内において第３内壁面側に片寄ってしまった液体が、第８内壁面によって、第１内壁面に設けられている液体供給部へと誘導される。従って、液体供給ユニット内における液体の揺動に起因する液体の供給不良の発生が抑制される。
上記形態の液体噴射装置において、前記第７内壁面の下端は、前記第１内壁面に連結されてよい。この形態の液体噴射装置によれば、第７内壁面と液体供給部との間の距離を短くでき、第４内壁面側に片寄ってしまった液体を、より迅速に液体供給部へと誘導することができる。
上記形態の液体噴射装置において、前記第７内壁面には、凹凸部が形成されてよい。この形態の液体噴射装置によれば、キャリッジの移動にともなって、液体収容部内の液体が、第７内壁面に沿って上方へと移動してしまうことが凹凸によって抑制される。また、第７内壁面に沿って上方へと移動してしまった液体が、第７内壁面に沿って液体供給部へと迅速に導かれる。従って、ヘッドに対する液体の供給不良の発生が、さらに抑制される。
上記形態の液体噴射装置において、前記液体は、溶媒に対して不溶性を有する粒子が分散されている分散液であってよい。この形態の液体噴射装置によれば、キャリッジの移動時に液体収容部内で液体が攪拌されるため、液体における粒子の沈降が抑制される。
上記形態の液体噴射装置において、前記第１内壁面と、前記第７内壁面とは、曲面を介して交差してよい。この形態の液体供給ユニットによれば、キャリッジの移動時における液体収容部内での液体の攪拌効果をさらに高めることができる。
上記形態の液体噴射装置において、前記第１内壁面と前記第７内壁面との間の角度は、前記第４内壁面と前記第７内壁面との間の角度よりも大きくてよい。この形態の液体噴射装置によれば、キャリッジの移動によって液体が揺動したときに、傾斜壁面に沿った液体の上方への移動が促進されるため、液体の攪拌効果がさらに高められる。
上記形態の液体噴射装置において、前記第１内壁面と前記第７内壁面との間の角度は、１１０°以上であり、１５０°以下であってよい。この形態の液体噴射装置によれば、キャリッジの移動時に、液体中の粒子の分散性を高めることができる攪拌力を液体収容部内に発生させることができる。
上記形態の液体噴射装置において、前記第１内壁面と前記第７内壁面との間の角度は、１３０°以上であり、１４０°以下であってよい。この形態の液体噴射装置によれば、キャリッジの移動時に、液体収容部内により大きな攪拌力を発生させることができる。
上記形態の液体噴射装置は、さらに、電極部を備え、前記第７内壁面とは反対側の前記液体収容部の外側の壁面には、前記電極部と電気的に接触する接触部が配置されてよい。この形態の液体供給ユニットによれば、電極部に対する液体供給ユニットの電気的接続性が高められる。
上記形態の液体噴射装置において、前記液体供給ユニットは、さらに、前記第５内壁面と前記第６内壁面との間に位置する可撓性膜部材と、前記第５内壁面と前記可撓性膜部材との間に位置して前記液体収容部の内壁面の一部を構成するとともに、前記第５内壁面と前記第６内壁面との間において、前記液体収容部内の内圧に応じて、前記第５内壁面と前記第６内壁面とが対向する方向に沿って変位するように、前記可撓性膜部材に保持されている板状部材と、前記液体収容部に配置され、前記板状部材を、前記第５内壁面から前記第６内壁面に向かう方向に付勢する付勢部材と、を備えてよい。この形態の液体噴射装置によれば、キャリッジの移動方向に交差する方向に板状部材が付勢されるため、板状部材の弾性移動が、キャリッジの移動によって生じる慣性力に影響されてしまうことが抑制される。従って、板状部材に対する付勢によって生じている液体収容部内の圧力状態が適切に維持される。
上記形態の液体噴射装置において、前記液体供給ユニットは、さらに、前記第３内壁面と前記第４内壁面との間に設けられ、前記液体収容部を、前記第３内壁面側に位置し、前記液体供給部を含む第１領域と、前記第４内壁面側に位置し、前記第７内壁面に面する第２領域と、に仕切る仕切壁部を備え、前記第１領域と前記第２領域とは互いに連通しており、前記第１領域には、前記液体を含浸する液体収容部材が配置されており、前記第２領域には、前記液体が揺動する状態で収容されてよい。この形態の液体噴射装置によれば、第１領域に配置されている液体収容部材によって液体の供給不良の発生が抑制される。
上記形態の液体噴射装置において、前記液体供給ユニットは、さらに、外部の大気を前記液体収容部に導入する大気導入部を備え、前記大気導入部は、前記大気が流通する大気通路と、前記液体収容部内の圧力に応じて前記大気通路を開閉する大気弁と、を有し、前記大気弁は、弁座と、弁部材と、を有し、前記弁部材は、前記弁座に対して当接する位置と、前記弁座に対して離間する位置と、に移動する弁部を有し、前記弁部材は、前記液体収容部内が所定の圧力以上のときに、前記弁部が前記弁座に当接して前記大気通路を閉塞し、前記液体収容部内が前記所定の圧力よりも低くなったときに、前記弁部が前記弁座から離れて前記大気通路を開放するように構成され、前記弁部の移動方向は、前記第５内壁面から前記第６内壁面に向かう方向に沿った方向であってよい。この形態の液体噴射装置によれば、弁部の移動がキャリッジの移動によって生じる慣性力に影響されてしまうことが抑制されるため、当該慣性力の影響によって、液体収容部内の圧力が変動してしまうことが抑制される。特に、弁部材が弾性を有する材料によって構成されているなど、弁体が弾性力を利用して移動する構成である場合には、当該弾性力に対する前述の慣性力の影響が抑制され、より効果的である。
【手続補正３】
【補正対象書類名】明細書
【補正対象項目名】発明の名称
【補正方法】変更
【補正の内容】
【発明の名称】液体噴射装置